(57)【要約】【課題】球体、外周形状がほぼ曲面状に形成されている物体等の商品を見栄えよく包装することが可能な袋体とその製造方法を提供することである。【解決手段】袋体１は、筒状のフィルムから形成され、一方端に開放された開口部１０と、他方端に閉じられた底部２０と、一方端から他方端まで延びて閉じられた側部３０とを有する袋体であって、底部２０の端縁の外形状は袋体１の他方端に向かって突出した突出端縁２１を少なくとも２つ有し、底部２０は蛇腹状に折り重ねられた部分４０を有し、折り重ねられた部分４０は袋体１の内側で一方端に向かって突出した内側折り返し部分５０を少なくとも２つ有する。【選択図】        図１
2006176135.tif 000002
【特許請求の範囲】
【請求項１】
筒状のフィルムから形成され、一方端に開放された開口部と、他方端に閉じられた底部と、一方端から他方端まで延びて閉じられた側部とを有する袋体であって、
前記底部の端縁の外形状は当該袋体の他方端に向かって突出した突出端縁を少なくとも２つ有し、前記底部は蛇腹状に折り重ねられた部分を有し、この折り重ねられた部分は当該袋体の内側で一方端に向かって突出した折り返し部分を少なくとも２つ有する、袋体。
【請求項２】
当該袋体の内側に位置する少なくとも２つの前記折り返し部分の端縁は、互いに整列して重ねられた直線状端縁である、請求項１に記載の袋体。
【請求項３】
前記折り重ねられた部分は当該袋体の外側で他方端に向かって突出した折り返し部分を少なくとも３つ有する、請求項１または請求項２に記載の袋体。
【請求項４】
当該袋体の外側に位置する少なくとも３つの前記折り返し部分の端縁は、当該袋体の他方端に向かって突出した突出端縁を少なくとも２つ有し、かつ、互いに整列して重ねられている、請求項３に記載の袋体。
【請求項５】
前記突出端縁は、前記底部の端縁の外形状を構成する少なくとも２つの辺状端縁が交差することによって形成された角を含む、請求項１から請求項４までのいずれか１項に記載の袋体。
【請求項６】
前記突出端縁は、前記底部の端縁を構成する少なくとも２つの辺状端縁を接続する曲線状端縁を含む、請求項１から請求項５までのいずれか１項に記載の袋体。
【請求項７】
横断面がほぼＵ字形状を有するように帯状のフィルムを折り曲げ、この折り曲げ部分を一方の側部に有する帯状のフィルムを長手方向に搬送するステップと、
前記折り曲げ部分において前記帯状フィルムの内側で他方の側部に向かって突出した折り返し部分を少なくとも２つ形成し、一方の側部を蛇腹状に折り重ねるステップと、
一方の側部を溶断溶着することにより、前記蛇腹状に折り重ねられた部分において突出した少なくとも２つの突出端縁を有する袋体の底部の端縁を形成するステップと、
袋体の底部の端縁を形成した後、前記帯状フィルムの一方の側部から他方の側部に向かって横断するように溶断溶着することにより、袋体の底部の端縁に接続された袋体の側部の端縁を形成するステップと
を備えた、袋体の製造方法。
【請求項８】
前記一方の側部を蛇腹状に折り重ねるステップは、複数の溝が上下方向に間隔をあけて形成された案内部材と、この案内部材の複数の溝の各々に挿入される複数の円板が軸方向に間隔をあけて配置された回転部材とを用いて、複数の前記溝と前記円板との各々の間に帯状フィルムの一方の側部を通過させることによって行われる、請求項７に記載の袋体の製造方法。
【発明の詳細な説明】
【技術分野】
【０００１】
この発明は、一般的には袋体とその製造方法に関し、特定的には使用時に底部に立体形状が形成される袋体とその製造方法に関するものである。
【背景技術】
【０００２】
従来から、立方体または直方体の商品を見栄えよく包装するのに適した角底袋が知られている。
【０００３】
たとえば、特開２００３−１３７３０５号公報（特許文献１）には、簡単な工程によってより高速に製造しうる構成の角底袋が提案されている。
【特許文献１】特開２００３−１３７３０５号公報
【発明の開示】
【発明が解決しようとする課題】
【０００４】
しかしながら、この種の角底袋は、立方体または直方体の商品等の見栄えをよくするために適しているが、球体、外周形状がほぼ曲面状に形成されている物体等の商品を見栄えよく包装するのには適していない。たとえば、球体のボール、スイカ等の商品をこの種の角底袋に収納すると、袋の底の内側領域において商品の周りに余った空間が形成されてしまう。このため、この種の角底袋で包装された状態の商品の見栄えが悪くなる。これにより、商品を販売店に陳列した場合に外観が悪くなるという問題があった。また、商品の収まり具合が悪く、商品の包装状態が不安定になるという問題もあった。
【０００５】
そこで、この発明の目的は、球体、外周形状がほぼ曲面状に形成されている物体等の商品を見栄えよく包装することが可能な袋体とその製造方法を提供することである。
【課題を解決するための手段】
【０００６】
この発明に従った袋体は、筒状のフィルムから形成され、一方端に開放された開口部と、他方端に閉じられた底部と、一方端から他方端まで延びて閉じられた側部とを有する袋体であって、底部の端縁の外形状は袋体の他方端に向かって突出した突出端縁を少なくとも２つ有し、底部は蛇腹状に折り重ねられた部分を有し、この折り重ねられた部分は袋体の内側で一方端に向かって突出した折り返し部分を少なくとも２つ有する。
【０００７】
この発明の袋体においては、蛇腹状に折り重ねられた部分を広げることによって、袋体の内側で一方端に向かって突出した少なくとも２つの折り返し部分が外側に広げられる。この外側に広げられた折り返し部分と底部の端縁とが連なることにより、ほぼ曲面状の底面が広げられる方向に沿って延びるように形成される。一方、底部の端縁の外形状は突出した突出端縁を少なくとも２つ有するので、ほぼ曲面状の底面が広げられる方向と交差する方向に沿って延びるように形成される。したがって、本発明の袋体では底部を広げることにより、ほぼ球面状の底面を形成することができる。これにより、球体、外周形状がほぼ曲面状に形成されている物体等の商品を本発明の袋体に入れると、袋体の底の内側領域において商品の周りに余った空間が形成されず、袋体のフィルムが商品の外周面にほぼ密着するように商品を収納することができ、商品を見栄えよく包装することができる。
【０００８】
この発明の袋体においては、袋体の内側に位置する少なくとも２つの折り返し部分の端縁は、互いに整列して重ねられた直線状端縁であるのが好ましい。
【０００９】
この場合、使用前の折り畳まれた状態と使用後の広げられた状態の袋体の外観の見栄えをよくすることができる。
【００１０】
また、この発明の袋体においては、折り重ねられた部分は袋体の外側で他方端に向かって突出した折り返し部分を少なくとも３つ有するのが好ましい。
【００１１】
この場合、蛇腹状に折り重ねられた部分を広げることによって、袋体の内側で一方端に向かって突出した少なくとも２つの折り返し部分が外側に広げられると同時に、その広げられた少なくとも２つの折り返し部分が、袋体の外側で他方端に向かって突出した少なくとも３つの折り返し部分に連なることにより、ほぼ曲面状の底面が広げられる方向に沿って延びるように形成される。これにより、袋体の底部を広げることにより、袋体の広げられる方向に沿って、より曲面に近い形状の底面を形成することができる。
【００１２】
さらに、この発明の袋体においては、袋体の外側に位置する少なくとも３つの折り返し部分の端縁は、袋体の他方端に向かって突出した突出端縁を少なくとも２つ有し、かつ、互いに整列して重ねられているのが好ましい。
【００１３】
この場合、使用前の折り畳まれた状態の袋体の外観の見栄えをよくすることができるだけでなく、袋体の外側に位置する少なくとも３つの折り返し部分の端縁が突出した突出端縁を少なくとも２つ有するので、ほぼ曲面状の底面が袋体の広げられる方向と交差する方向に沿って延びるように形成される。これにより、袋体の底部を広げることにより、袋体の広げられる方向と交差する方向に沿っても、より曲面に近い形状の底面を形成することができる。
【００１４】
この発明の袋体においては、突出端縁は、底部の端縁の外形状を構成する少なくとも２つの辺状端縁が交差することによって形成された角を含むのが好ましい。
【００１５】
この発明の袋体においては、突出端縁は、底部の端縁を構成する少なくとも２つの辺状端縁を接続する曲線状端縁を含むのが好ましい。この場合、袋体の底部を広げることにより、袋体の広げられる方向と交差する方向に沿って、より曲面に近い形状の底面を形成することができる。
【００１６】
この発明に従った袋体の製造方法は、次のステップを備える。
【００１７】
（ａ）横断面がほぼＵ字形状を有するように帯状のフィルムを折り曲げ、この折り曲げ部分を一方の側部に有する帯状のフィルムを長手方向に搬送するステップ。
【００１８】
（ｂ）折り曲げ部分において帯状フィルムの内側で他方の側部に向かって突出した折り返し部分を少なくとも２つ形成し、一方の側部を蛇腹状に折り重ねるステップ。
【００１９】
（ｃ）一方の側部を溶断溶着することにより、蛇腹状に折り重ねられた部分において突出した少なくとも２つの突出端縁を有する袋体の底部の端縁を形成するステップ。
【００２０】
（ｄ）袋体の底部の端縁を形成した後、帯状フィルムの一方の側部から他方の側部に向かって横断するように溶断溶着することにより、袋体の底部の端縁に接続された袋体の側部の端縁を形成するステップ。
【００２１】
この発明の製造方法において一方の側部を蛇腹状に折り重ねるステップは、複数の溝が上下方向に間隔をあけて形成された案内部材と、この案内部材の複数の溝の各々に挿入される複数の円板が軸方向に間隔をあけて配置された回転部材とを用いて、複数の溝と円板との各々の間に帯状フィルムの一方の側部を通過させることによって行われるのが好ましい。
【００２２】
この場合、案内部材と回転部材とを組み合わせて用いることにより、蛇腹状に折り重ねられた袋体の底部を容易に形成することができる。
【発明の効果】
【００２３】
以上のようにこの発明の袋体を用いることにより、球体、外周形状がほぼ曲面状に形成されている物体等の商品を見栄えよく包装することができる。
【発明を実施するための最良の形態】
【００２４】
以下、この発明の一つの実施の形態を図面に基づいて説明する。
【００２５】
図１はこの発明の一つの実施の形態に従った袋体の使用前の状態を示す正面図、図２は図１のＩＩ−ＩＩ線に沿った方向かみた断面図、図３は図１のＩＩＩ−ＩＩＩ線に沿った方向からみた断面図、図４は図１に示される袋体を斜め上方からみた斜視図である。図２、図３および図４は、袋体の底部をわずかに広げた状態にして誇張して示している。
【００２６】
図１に示すように、袋体１は、筒状のフィルムから形成され、一方端に開放された開口部１０と、他方端に閉じられた底部２０と、一方端から他方端まで延びて閉じられた側部３０とを有する。袋体１の開口部１０は開口端縁１１から形成され、側部３０は閉じられた二つの側端縁３１と３２とから形成されている。
【００２７】
フィルムの材質は一般的には合成樹脂であり、たとえば、ポリプロピレン（ＰＰ）またはポリエチレン（ＰＥ）等である。フィルムは透明性または半透明性のものが好ましい。フィルムの厚みは、１５〜１００μｍの範囲内が好ましく、２０〜８０μｍの範囲内がより好ましい。
【００２８】
図１に示すように、底部２０の端縁の外形状は、袋体１の他方端、すなわち底部２０に向かって突出した突出端縁２１を２つ有する。突出端縁２１の各々は、最底部の端縁の外形状を形成する辺状端縁２２と、辺状端縁２２の両側から斜めに延びて底部の両側端縁を形成する辺状端縁２３とが交差することによって形成された角である。
【００２９】
また、図１に示すように、底部２０は、蛇腹状に折り重ねられた部分（折り畳まれた部分）４０を有する。図２に示すように、折り重ねられた部分４０は、広げることができる部分、または、縮めることが可能な部分として、４つの拡縮部分４１、４２、４３および４４を有する。４つの拡縮部分４１、４２、４３および４４は、拡縮中心７０を中心にしてほぼ扇形状に広げることができる。
【００３０】
さらに、図１に示すように、底部２０の折り重ねられた部分４０には、袋体１の内側で一方端に向かって突出した３つの内側折り返し部分５０が形成されている。具体的には、図２に示すように、３つの内側折り返し部分５０は、それぞれ、折り返し端縁５１、５２および５３を有する。図２と図３に示すように、袋体１の内側に位置する折り返し端縁５１、５２および５３は、互いに整列して重ねられている。また、図１と図４に示すように、折り返し端縁５１、５２および５３は、それぞれ直線状端縁２４を形成している。
【００３１】
図１に示すように、底部２０の折り重ねられた部分４０の外側端縁には、４つの外側折り返し部分６０が形成されている。具体的には、図２に示すように、４つの外側折り返し部分６０は、それぞれ、折り返し端縁６１、６２、６３および６４を有する。図４に示すように、折り返し端縁６１、６２、６３および６４のそれぞれは、袋体１の他方端、すなわち底部２０に向かって突出した突出端縁２１を２つ有する。突出端縁２１の各々は、最底部の端縁の外形状を形成する辺状端縁２２と、辺状端縁２２の両側から斜めに延びて底部の両側端縁を形成する辺状端縁２３とが交差することによって形成された角である。また、図２と図４に示すように、袋体１の外側に位置する折り返し端縁６１、６２、６３および６４は、互いに整列して重ねられている。
【００３２】
図５は図１に示される袋体の使用時での形態を斜め下方からみた斜視図である。
【００３３】
図５に示すように、袋体１の底部２０において拡縮中心７０を中心にして、外側に位置する折り返し端縁６１、６２、６３および６４をほぼ扇形状に広げると、内側に位置する折り返し端縁５１、５２および５３も外側に広げられる。このようにして広げられると、ほぼ曲面状の底面がその広げられた方向に沿って延びるように形成される。また、広げられた方向と交差する方向も、最低部に位置する辺状端縁２２と、その両側から斜めに延びる辺状端縁２３と、これらの辺状端縁２２と２３とが交差して形成された突出端縁２１とが台形状または多角形状に底部２０の端縁を形成しているので、ほぼ曲面状の底面が形成される。
【００３４】
すなわち、この発明の袋体１においては、蛇腹状に折り重ねられた部分４０を広げることによって、袋体１の内側で一方端に向かって突出した３つの内側折り返し部分５０が外側に広げられる。この外側に広げられた内側折り返し部分５０と底部２０の端縁である辺状端縁２２および辺状端縁２３とが連なることにより、ほぼ曲面状の底面が広げられる方向に沿って延びるように形成される。一方、底部２０の端縁の外形状は突出した突出端縁２１を２つ有するので、ほぼ曲面状の底面が広げられる方向と交差する方向に沿って延びるように形成される。したがって、本発明の袋体１では底部２０を広げることにより、ほぼ球面状の底面を形成することができる。これにより、球体、外周形状がほぼ曲面状に形成されている物体等の商品を本発明の袋体１に入れると、袋体１の底の内側領域において商品の周りに余った空間が形成されず、袋体１のフィルムが商品の外周面にほぼ密着するように商品を収納することができ、商品を見栄えよく包装することができる。
【００３５】
また、上記の袋体１では、３つの内側折り返し部分５０を形成したが、少なくとも２つ以上の内側折り返し部分５０を形成すればよく、好ましくは内側折り返し部分５０の数は２つ以上４つ以下である。内側折り返し部分５０の数を増やすことにより、底部２０の広げられる方向に沿って、より曲面に近い形状の底面を形成することができる。
【００３６】
この発明の袋体１においては、袋体１の内側に位置する３つの内側折り返し部分５０の折り返し端縁５１、５２および５３は、互いに整列して重ねられた直線状端縁であるので、使用前の折り畳まれた状態と使用後の広げられた状態の袋体１の外観の見栄えをよくすることができる。
【００３７】
なお、上記の袋体１では、３つの内側折り返し部分５０の折り返し端縁５１、５２および５３を整列させているが、必ずしも整列させる必要はない。
【００３８】
また、この発明の袋体１においては、折り重ねられた部分４０は袋体１の外側で他方端に向かって突出した外側折り返し部分６０を４つ有するので、蛇腹状に折り重ねられた部分４０を広げることによって、袋体１の内側で一方端に向かって突出した３つの内側折り返し部分５０が外側に広げられると同時に、その広げられた３つの内側折り返し部分５０が、袋体１の外側で他方端に向かって突出した４つの外側折り返し部分６０に連なることにより、ほぼ曲面状の底面が広げられる方向に沿って延びるように形成される。これにより、袋体１の底部２０を広げることにより、袋体１の広げられる方向に沿って、より曲面に近い形状の底面を形成することができる。
【００３９】
上記の袋体１では、４つの外側折り返し部分６０を形成したが、少なくとも３つ以上の外側折り返し部分６０を形成すればよく、好ましくは外側折り返し部分６０の数は３つ以上５つ以下である。外側折り返し部分６０の数を増やすことにより、底部２０の広げられる方向に沿って、より曲面に近い形状の底面を形成することができる。
【００４０】
さらに、この発明の袋体１においては、袋体１の外側に位置する４つの外側折り返し部分６０の折り返し端縁６１、６２、６３および６４は、袋体１の他方端に向かって突出した突出端縁２１を２つ有し、かつ、互いに整列して重ねられているので、使用前の折り畳まれた状態の袋体１の外観の見栄えをよくすることができるだけでなく、袋体１の外側に位置する４つの折り返し端縁６１、６２、６３および６４が突出した突出端縁２１を２つ有するので、ほぼ曲面状の底面が袋体１の広げられる方向と交差する方向に沿って延びるように形成される。これにより、袋体１の底部を広げることにより、袋体１の広げられる方向と交差する方向に沿っても、より曲面に近い形状の底面を形成することができる。
【００４１】
なお、上記の袋体１では、底部２０の端縁の外形状に２つの突出端縁２１を形成したが、３つ以上の突出端縁を形成してもよい。突出端縁２１の数を増やすことにより、より曲面に近い形状の底面を形成することができる。また、上記の袋体１では、４つの外側折り返し部分６０の折り返し端縁６１、６２、６３および６４を整列させているが、必ずしも整列させる必要はない。
【００４２】
この発明の袋体１においては、突出端縁２１は、底部２０の端縁の外形状を構成する２つの辺状端縁２２と２３とが交差することによって形成された角を含むが、角を丸めるために曲線状端縁が２つの辺状端縁２２と２３とを接続するように形成されていてもよい。この場合、袋体１の底部２０を広げることにより、袋体１の広げられる方向と交差する方向に沿って、より曲面に近い形状の底面を形成することができる。
【００４３】
図６は図１に示される袋体で球状体の商品を包装した状態を示す斜視図である。
【００４４】
図６に示すように、トマト、キャベツ、スイカ、ミカン、ダイダイ等のほぼ球状の野菜や果物、球状のボール等の被包装物２を袋体１に入れると、被包装物２の丸い底部にほぼぴったりと密着するように包装することができる。このため、袋体１と被包装物２との間に余分な空間が形成されないので、収まり具合がよく、安定に包装することができるだけでなく、商品を見栄えよく包装することができる。また、透明性または半透明性のフィルムで袋体１を構成すると、被包装物２の全面が見えやすくなり、商品の外周面のほぼ全部が見えるようにより効果的に見栄えよく包装することができ、商品を陳列した場合の外観をより良好にすることができる。
【００４５】
また、バスケットボール、バレーボール、サッカーボール等のスポーツ用ボールを袋に入れて包装する場合、従来から用いられているネット（網）状の袋の表面には印刷することができなかったが、この発明の袋体を用いて球状のボールを包装すると、その袋体の表面に宣伝用の商品情報等を記載するための印刷を施すことができる。
【００４６】
さらに、この発明の袋体を用いて包装されるものは、球体のものに限らず、たとえば、半分または４分の１等に切ったスイカ等の半球体でもよく、全体として曲面を形成するような外周面を少なくとも有する物体であれば見栄えよく包装することができる。
【００４７】
図７は図１に示される袋体で外周面が曲面状の商品を包装し、袋体の底部を上に向けて配置した状態を示す斜視図である。
【００４８】
図７に示すように、被包装物２の一例としてブロッコリー等の野菜を透明性の袋体１に入れて、袋体１の底部が上に向くように配置されている。このように配置して商品を陳列すると、被包装物２の一例としてのブロッコリーの特徴のある外表面を強調して見せることができる。被包装物２としてヘルメット等の曲面に特徴のある商品を陳列する場合にも、その曲面に袋体１の底部を密着させて、その底部が上に向くように配置すれば、商品の特徴のある外表面を強調して見せることができる。
【００４９】
なお、本発明の袋体１の開口部１０は、開口端縁１１を折り返して粘着テープで閉じられるように構成してもよく、紐等を巻きつけて結ぶようにして閉じてもよい。また、開口部１０付近に、陳列のための吊り下げ用孔、手下げ用長孔等を形成してもよい。
【００５０】
次に、この発明の一つの実施の形態として袋体１の製造方法の一例について説明する。
【００５１】
図８は図１に示される袋体の製造工程の一つの実施の形態を概念的に示す平面図（Ａ）と側断面図（Ｂ）である。
【００５２】
図８の（Ａ）に示すように、一方の側部の横断面がほぼＵ字形状を有するように折り曲げた状態で帯状フィルム１００を矢印Ｐで示す方向に連続して長手方向に搬送する。その後、折り曲げ部分において帯状フィルム１００の内側で他方の側部に向かって突出した折り返し部分を３つ形成し、一方の側部を蛇腹状に折り重ねる。具体的には、帯状フィルム１００の折り曲げられた一方の側部を案内部材２００と回転部材３００の間に挿入して折り返し部分を形成する。
【００５３】
図９は図８において帯状フィルムの一方の側部が折り曲げられた状態を示す斜視図である。
【００５４】
図９に示すように、帯状フィルム１００の折り曲げ部分１１０においては、内側折り返し部分１１１、１１２および１１３と、外側折り返し部分１１４、１１５、１１６および１１７とが形成される。
【００５５】
図１０は図８のＸ−Ｘ線に沿った方向からみた断面を示し、案内部材２００と回転部材３００とが間隔をあけて配置された状態を示す側断面図（Ａ）、案内部材２００と回転部材３００とが接近して配置された状態を示す側断面図（Ｂ）である。
【００５６】
図１０の（Ａ）に示すように、案内部材２００は支柱２１０によって支持され、矢印Ｕで示す方向に移動可能に設けられている。案内部材２００には、３つの案内溝２２０、２３０および２４０が上下方向に間隔をあけて形成されている。回転部材３００は、軸３１０の周りに回転可能な円板３２０、３３０および３４０を備えており、矢印Ｖで示す方向に移動可能に設けられている。円板３２０、３３０および３４０は、それぞれ、案内溝２２０、２３０および２４０に挿入可能に配置されている。
【００５７】
帯状フィルム１００のほぼＵ字形状の折り曲げ部分１１０を、案内部材２００と回転部材３００との間に通過させて、案内部材２００と回転部材３００とを互いに接近する方向に移動させる。そうすると、図１０の（Ｂ）に示すように、円板３２０、３３０および３４０が、それぞれ、案内溝２２０、２３０および２４０に挿入され、図示されていないが、折り曲げ部分１１０が円板３２０、３３０および３４０の各々と、案内溝２２０、２３０および２４０の各々との間に挟みこまれることにより、図９に示されるように蛇腹状に折り重ねられる。このようにして、帯状フィルム１００の折り曲げ部分１１０に内側折り返し部分１１１、１１２および１１３と、外側折り返し部分１１４、１１５、１１６および１１７とが形成される。このとき、回転部材３００の円板３２０、３３０および３４０は、帯状フィルム１００が搬送される方向に、すなわち、図８の（Ａ）の矢印Ｔで示される方向に回転する。
【００５８】
なお、案内部材２００の案内溝の数、回転部材３００の円板の数を増やすことにより、蛇腹状に折り重ねられた部分において折り返し部分の数を増やすことができる。また、案内部材２００と回転部材３００との間の間隔を調整することにより、折り返し部分の長さを調整することができる。
【００５９】
次に、図８の（Ｂ）に示すように帯状フィルム１００がピンチローラ６００で押さえられることにより、折り曲げ部分１１０では、内側折り返し部分１１１、１１２および１１３と、外側折り返し部分１１４、１１５、１１６および１１７とが互いに密着するように折り重ねられる。
【００６０】
その後、図８の（Ｂ）に示すように、帯状フィルム１００の折り曲げ部分１１０の一部に溶断溶着用加熱プレート４００を接触させて矢印Ｑで示す方向に押圧することにより、帯状フィルム１００の一方の側部を溶断溶着する。これにより、図８の（Ａ）に示すように、帯状フィルム１００の一方側部をほぼ三角形状に溶断溶着して、折り曲げ部分１１０に突出端縁２１と辺状端縁２２および２３とを形成する。このようにして、袋体の閉じられた底部の端縁を形成する。
【００６１】
そして、帯状フィルム１００を送りローラ７００で搬送した後、図８の（Ｂ）に示すように、台ローラ８００で帯状フィルム１００を受けた状態で帯状フィルム１００の前端部に溶断溶着用加熱ブレード５００を接触させて矢印Ｒで示す方向に押圧することにより、帯状フィルム１００の一方の側部から他方の側部に向かって横断するように溶断溶着する。これにより、図８の（Ａ）で示すように、帯状フィルム１００から切り離されて、袋体の閉じられた側部の端縁として側端縁３１および３２が形成され、開放された開口端縁１１と、側端縁３１および３２に接続された底部の閉じられた辺状端縁２３、突出端縁２１および辺状端縁２２とを有する袋体が完成する。完成した袋体は、図８の（Ｂ）にて矢印Ｓで示す方向に搬送される。
【００６２】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００６３】
【図１】この発明の一つの実施の形態に従った袋体の使用前の状態を示す正面図である。
【図２】図１のＩＩ−ＩＩ線に沿った方向かみた断面図である。
【図３】図１のＩＩＩ−ＩＩＩ線に沿った方向からみた断面図である。
【図４】図１に示される袋体を斜め上方からみた斜視図である。
【図５】図１に示される袋体の使用時での形態を斜め下方からみた斜視図である。
【図６】図１に示される袋体で球状体の商品を包装した状態を示す斜視図である。
【図７】図１に示される袋体で外周面が曲面状の商品を包装し、袋体の底部を上に向けて配置した状態を示す斜視図である。
【図８】図１に示される袋体の製造工程の一つの実施の形態を概念的に示す平面図（Ａ）と側断面図（Ｂ）である。
【図９】図８において帯状フィルムの一方の側部が折り曲げられた状態を示す斜視図である。
【図１０】図８のＸ−Ｘ線に沿った方向からみた断面を示し、案内部材２００と回転部材３００とが間隔をあけて配置された状態を示す側断面図（Ａ）、案内部材２００と回転部材３００とが接近して配置された状態を示す側断面図（Ｂ）である。
【符号の説明】
【００６４】
１：袋体、１０：開口部、２０：底部、２１：突出端縁、２２，２３：辺状端縁、２４：直線状端縁、４０：折り重ねられた部分、５０：内側折り返し部分、５１，５２，５３，６１，６２，６３，６４：折り返し端縁、６０：外側折り返し部分、１００：帯状フィルム、１１０：折り曲げ部分、１１１，１１２，１１３：内側折り返し部分、１１４，１１５，１１６，１１７：外側折り返し部分、２００：案内部材、２２０，２３０，２４０：案内溝、３００：回転部材、３２０，３３０，３４０：円板。
【図１】
2006176135.tif 000003
【図２】
2006176135.tif 000004
【図３】
2006176135.tif 000005
【図４】
2006176135.tif 000006
【図５】
2006176135.tif 000007
【図６】
2006176135.tif 000008
【図７】
2006176135.tif 000009
【図８】
2006176135.tif 000010
【図９】
2006176135.tif 000011
【図１０】
2006176135.tif 000012